(57)【特許請求の範囲】
【請求項１】
商用電源を入力として直流電力を出力するコンバータ回路と、
二次電池と、
コンバータ回路，二次電池の出力を交流電力に変換して出力するインバータ回路と、
インバータ回路の出力を供給されて点灯するランプと、
コンバータ回路からインバータ回路への電力供給をオン・オフする第１のオンオフ手段と、
二次電池からインバータ回路への電力供給をオン・オフする第２のオンオフ手段と、
商用電源からの電力供給がある時には第１のオンオフ手段をオン、第２のオンオフ手段をオフして交流電源によってランプを点灯させる通常点灯状態とし、商用電源からの電力供給がない停電時には第１のオンオフ手段をオフ、第２のオンオフ手段をオンして二次電池によってランプを点灯させる非常点灯状態とし、外部からの点検開始信号を受けた時は第１のオンオフ手段をオフ、第２のオンオフ手段をオンすることで二次電池によってランプを点灯させる擬似停電状態に移行させて、二次電池を所定の点検時間に亘って放電させた後の電池電圧に基づいて二次電池の点検を行い、該点検後第１のオンオフ手段をオン、第２のオンオフ手段をオフして通常点灯状態に移行させる制御回路と、
二次電池の点検結果を表示する表示部とを備え、
制御回路は、通常点灯状態から擬似停電状態に移行する時と、擬似停電状態から通常点灯状態に移行する時との少なくともいずれか一方において、ランプの光出力を予め設定されたインターバル時間内で変化させ、該ランプの光出力の変化によって、通常点灯状態から擬似停電状態への移行と、擬似停電状態から通常点灯状態への移行との少なくともいずれか一方が発生したことを報知する
ことを特徴とする照明装置。
【請求項２】
前記インターバル時間は、インターバル時間内でランプの光強度が変化する量に応じて決まる、ランプの光出力の変化をチラツキと感じる臨界フリッカ周波数の周期よりも長いことを特徴とする請求項１記載の照明装置。
【請求項３】
前記制御回路は、前記インターバル時間内で、前記第１，第２のオンオフ手段をともにオフする期間を少なくとも１回設けることを特徴とする請求項１記載の照明装置。
【請求項４】
前記制御回路は、少なくとも二次電池の状態に基づいて二次電池の点検が可能か否かを判定する手段を備え、点検開始信号を受けた時に点検不可であれば、前記擬似停電状態に移行させず、前記第１のオンオフ手段を所定間隔で少なくとも２回オフさせることを特徴とする請求項１記載の照明装置。
【請求項５】
リモコン送信器からの点検開始信号を受信する受信部を備え、前記制御部は受信部を介して点検開始信号を受けることを特徴とする請求項１乃至４いずれか記載の照明装置。
【請求項６】
前記制御回路は、少なくとも二次電池の状態に基づいて二次電池の点検が可能か否かを判定する手段を備え、点検開始信号を受けてから点検不可と判定した場合、前記点検時間より短い時間で二次電池の放電を中断し、前記擬似停電状態から前記通常点灯状態に移行させることを特徴とする請求項１記載の照明装置。
【請求項７】
前記通常点灯状態から前記非常点灯状態に移行する時、および前記非常点灯状態から前記通常点灯状態に移行する時、ランプの光出力を予め設定されたインターバル時間内で変化させることを特徴とする請求項１乃至６いずれか記載の照明装置。
【請求項８】
前記リモコン送信器は点検可否確認信号を送信し、前記制御回路は、前記受信部を介して点検可否確認信号を受けると少なくとも二次電池の状態に基づいて二次電池の点検が可能か否かを判定する手段を備えて、前記表示部の点滅と前記ランプの光出力の変化とのうち少なくともいずれか一方で該判定結果を表示することを特徴とする請求項５記載の照明装置。
【請求項９】
請求項１乃至８いずれかの照明装置に設けたランプの光出力が透過する表示パネルを備えることを特徴とする照明器具。
【発明の詳細な説明】
【技術分野】
【０００１】
本発明は、商用電源が停電したとき二次電池で光源を点灯させ、且つ二次電池の点検機能を有する照明装置、照明器具に関するものである。
【背景技術】
【０００２】
ビル等の非常口や通路に設置される誘導灯装置は、商用電源の停電時においても二次電池からの電力供給によってランプが点灯するようになっている。この誘導灯装置は、消防庁告示で定期的な点検が義務付けられており、規定では２０分間または６０分間、ランプが正常に点灯するか否かを確認しなければならない。したがって、誘導灯装置の点検作業は、商用電源の電力供給を遮断して擬似的な停電状態を維持するために、点検スイッチの引き輪に重りをぶら下げたり、アダプターを取り付けて点検スイッチが押されたままの状態を保持するなどして、上記規定時間内にランプが正常に点灯するか否かを見て廻る必要があり、非常に手間の掛かる作業であった。
【０００３】
そこで、点検作業の省力化を図るために、点検作業者がリモコン端末から誘導灯装置へ信号を送信する方法がある。この方法では、リモコン端末から赤外線等によって擬似停電指令を出力し、誘導灯装置は、筐体またはユニット内に配置した受信回路で受信した擬似停電指令をマイクロコンピュータ等で構成された演算制御装置に入力し、演算制御装置がランプ点灯回路の動作を停止させるとともに、二次電池からランプに電力供給するように制御する。このような動作によって、演算制御装置が、自動的に非常点灯モードに切り替えて、所定時間経過後の二次電池の電圧やランプ点灯状態を検出するので、点検中に点検スイッチの操作状態を保持する必要がなく、高所へ設置されることの多い誘導灯装置の点検作業の簡素化を図っている。（例えば、特許文献１参照）
【特許文献１】特開２００３−９２０１３
【発明の開示】
【発明が解決しようとする課題】
【０００４】
誘導灯装置は表示面の平均輝度が技術基準（ＪＩＬ５５０２）で定められており、商用電源が通電している通常時と、遮断されている非常時とでは別々の輝度範囲が規定されて、非常時の輝度のほうが低く設定されている。ところが、非常時の輝度は、製造者が定める放電終了直前の二次電池電圧（放電基準電圧）で規定されるため、点検作業時に擬似的な停電状態としたときには二次電池が満充電状態であるため二次電池電圧が高くなっており、放電基準電圧で点灯させたときよりも一般的に輝度が高くなる。したがって、点検スイッチの操作やリモコンからの点検開始指令によって擬似停電状態へ切り替えても、常用状態と擬似停電状態との輝度差が少なく、点検開始指令によって通常点灯状態から擬似停電状態に切り替わったか否か、さらには点検解除命令によって擬似停電状態から通常点灯状態に切り替わったか否かを、器具の表示パネルの輝度によって判別することは困難であった。
【０００５】
また、誘導灯装置の筐体またはユニット内に二次電池が充電中であることを表示する充電モニターが配置されておれば、商用電源の停電時や擬似的な停電状態ではこの充電モニターが消灯するため、擬似停電状態へ切り替わったことを外観から代用判別することができるが、リモコン端末を活用するような高所へ設置された誘導灯装置では、充電モニターの点灯状態が見えにくく、例えばリモコン端末から点検開始指令を送信しても、誘導灯装置が擬似停電状態に切り替わったか否か、さらには点検解除命令によって擬似停電状態から通常点灯状態に切り替わったか否かを充電モニターの点灯状態で判別することは困難である。
【０００６】
本発明は、上記事由に鑑みてなされたものであり、その目的は、商用電源によってランプを点灯させる通常点灯状態から点検のために二次電池によってランプを点灯させる擬似停電状態に切り替わったこと、あるいは擬似停電状態から通常点灯状態に復帰したことを容易に判別することができる照明装置、照明器具を提供することにある。
【課題を解決するための手段】
【０００７】
請求項１の発明は、商用電源を入力として直流電力を出力するコンバータ回路と、二次電池と、コンバータ回路，二次電池の出力を交流電力に変換して出力するインバータ回路と、インバータ回路の出力を供給されて点灯するランプと、コンバータ回路からインバータ回路への電力供給をオン・オフする第１のオンオフ手段と、二次電池からインバータ回路への電力供給をオン・オフする第２のオンオフ手段と、商用電源からの電力供給がある時には第１のオンオフ手段をオン、第２のオンオフ手段をオフして交流電源によってランプを点灯させる通常点灯状態とし、商用電源からの電力供給がない停電時には第１のオンオフ手段をオフ、第２のオンオフ手段をオンして二次電池によってランプを点灯させる非常点灯状態とし、外部からの点検開始信号を受けた時は第１のオンオフ手段をオフ、第２のオンオフ手段をオンすることで二次電池によってランプを点灯させる擬似停電状態に移行させて、二次電池を所定の点検時間に亘って放電させた後の電池電圧に基づいて二次電池の点検を行い、該点検後第１のオンオフ手段をオン、第２のオンオフ手段をオフして通常点灯状態に移行させる制御回路と、二次電池の点検結果を表示する表示部とを備え、制御回路は、通常点灯状態から擬似停電状態に移行する時と、擬似停電状態から通常点灯状態に移行する時との少なくともいずれか一方において、ランプの光出力を予め設定されたインターバル時間内で変化させ、該ランプの光出力の変化によって、通常点灯状態から擬似停電状態への移行と、擬似停電状態から通常点灯状態への移行との少なくともいずれか一方が発生したことを報知することを特徴とする。
【０００８】
この発明によれば、通常点灯状態から擬似停電状態に移行する時と、擬似停電状態から通常点灯状態に移行する時との少なくともいずれか一方において、ランプの光出力を予め設定されたインターバル時間内で変化させるので、通常点灯状態から擬似停電状態に切り替わったこと、あるいは擬似停電状態から通常点灯状態に復帰したことを点検者が容易に判別することができる。
【０００９】
請求項２の発明は、請求項１において、前記インターバル時間は、インターバル時間内でランプの光強度が変化する量に応じて決まる、ランプの光出力の変化をチラツキと感じる臨界フリッカ周波数の周期よりも長いことを特徴とする。
【００１０】
この発明によれば、インターバル時間での光強度の変化をより確実に認識することができる。
【００１１】
請求項３の発明は、請求項１において、前記制御回路は、前記インターバル時間内で、前記第１，第２のオンオフ手段をともにオフする期間を少なくとも１回設けることを特徴とする。
【００１２】
この発明によれば、通常点灯状態から擬似停電状態に切り替わったこと、あるいは擬似停電状態から通常点灯状態に復帰したことを点検者が容易に判別することができる。
【００１３】
請求項４の発明は、請求項１において、前記制御回路は、少なくとも二次電池の状態に基づいて二次電池の点検が可能か否かを判定する手段を備え、点検開始信号を受けた時に点検不可であれば、前記擬似停電状態に移行させず、前記第１のオンオフ手段を所定間隔で少なくとも２回オフさせることを特徴とする。
【００１４】
この発明によれば、二次電池の充電が完了していない状態で点検開始信号を受けたとしても、点検不可であることを点検者に伝えることができるとともに、二次電池を放電させることなく充電を継続できるので、計時中の充電時間がクリアされることなく、充電開始から完了までの所定時間をさらに待つ必要がなく、点検作業の効率が向上する。
【００１５】
請求項５の発明は、請求項１乃至４いずれかにおいて、リモコン送信器からの点検開始信号を受信する受信部を備え、前記制御部は受信部を介して点検開始信号を受けることを特徴とする。
【００１６】
この発明によれば、高天井等に設置された照明器具に対しても、二次電池の点検を容易に行なうことができるとともに、通常点灯状態から擬似停電状態に切り替わったこと、あるいは擬似停電状態から通常点灯状態に復帰したことを点検者が容易に判別することができる。
【００１７】
請求項６の発明は、請求項１において、前記制御回路は、少なくとも二次電池の状態に基づいて二次電池の点検が可能か否かを判定する手段を備え、点検開始信号を受けてから点検不可と判定した場合、前記点検時間より短い時間で二次電池の放電を中断し、前記擬似停電状態から前記通常点灯状態に移行させることを特徴とする。
【００１８】
この発明によれば、二次電池の不要な放電を中断することができ、二次電池の寿命劣化を防止することができる。
【００１９】
請求項７の発明は、請求項１乃至６いずれかにおいて、前記通常点灯状態から前記非常点灯状態に移行する時、および前記非常点灯状態から前記通常点灯状態に移行する時、ランプの光出力を予め設定されたインターバル時間内で変化させることを特徴とする。
【００２０】
この発明によれば、商用電源の停電・復電が認識しやすくなるとともに、電力供給の切替制御を、擬似停電状態、非常点灯状態に関わらず常に同じ処理で行なうことができる。したがって、制御回路にマイクロコンピュータを用いる場合、プログラムの簡略化が可能であり、メモリ容量の削減も可能となる。
【００２１】
請求項８の発明は、請求項５において、前記リモコン送信器は点検可否確認信号を送信し、前記制御回路は、前記受信部を介して点検可否確認信号を受けると少なくとも二次電池の状態に基づいて二次電池の点検が可能か否かを判定する手段を備えて、前記表示部の点滅と前記ランプの光出力の変化とのうち少なくともいずれか一方で該判定結果を表示することを特徴とする。
【００２２】
この発明によれば、点検開始信号を送る前に点検が可能か否かを点検者が知ることができるので、点検作業の利便性がさらに高まる。
【００２３】
請求項９の発明は、請求項１乃至８いずれかの照明装置に設けたランプの光出力が透過する表示パネルを備えることを特徴とする。
【００２４】
この発明によれば、照明装置において、通常点灯状態から擬似停電状態に移行する時と、擬似停電状態から通常点灯状態に移行する時との少なくともいずれか一方において、表示パネルの光出力を予め設定されたインターバル時間内で変化させるので、通常点灯状態から擬似停電状態に切り替わったこと、あるいは擬似停電状態から通常点灯状態に復帰したことを点検者が容易に判別することができる。
【発明の効果】
【００２５】
以上説明したように、本発明では、商用電源によってランプを点灯させる通常点灯状態から点検のために二次電池によってランプを点灯させる擬似停電状態に切り替わったこと、あるいは擬似停電状態から通常点灯状態に復帰したことを容易に判別することができるという効果がある。
【発明を実施するための最良の形態】
【００２６】
以下、本発明の実施の形態を図面に基づいて説明する。
【００２７】
（実施形態１）
図１は本実施形態の照明装置のブロック図を示し、交流入力を直流出力に変換するコンバータ回路を構成するＡＣ−ＤＣ変換部１と、非常用電源となる二次電池２と、ＡＣ−ＤＣ変換部１の直流出力を入力として二次電池２を充電する充電回路部３と、直流入力を交流出力に変換するインバータ回路４と、制御回路部５と、点検時に二次電池２の電圧を判定する電池電圧判定部６と、ＬＥＤ等で構成されて点検結果等を表示する表示部７と、赤外線リモコン等の無線送信器（リモコン端末）１０からの信号を受信する受信部８と、インバータ回路４の交流出力によって点灯するランプＬａと、ＡＣ−ＤＣ変換部１からインバータ回路４への電力供給をオン・オフするスイッチング素子ＳＷ１と、二次電池２からインバータ回路４への電力供給をオン・オフするスイッチング素子ＳＷ２とを備える。さらに、本照明装置のランプＬａの近傍にランプＬａの光出力が透過する表示パネルＰを配設すれば、誘導灯等の照明器具を構成する。
【００２８】
ＡＣ−ＤＣ変換部１は、常用電源であり、商用電源ＡＣからの入力を直流電力に変換して、スイッチング素子ＳＷ１を介してインバータ回路４に直流電力を供給する。二次電池２は非常用電源であり、スイッチング素子ＳＷ２を介してインバータ回路４に直流電力を供給する。そして、インバータ回路４は、ＡＣ−ＤＣ変換部１または二次電池２の直流出力を交流電力に変換してランプＬａに供給し、インバータ回路４の出力によって点灯したランプＬａの光は表示パネルＰを介して外部へ出力される。
【００２９】
制御回路部５は、充電回路部３の動作に基づいて検出した二次電池２への充電の有無に基づいて商用電源ＡＣの通電，停電を判断して、通電時にはスイッチング素子ＳＷ１をオン、スイッチング素子ＳＷ２をオフし、商用電源ＡＣからの供給電力によってランプＬａを点灯させる通常点灯状態で動作させる。停電時（非常時）にはスイッチング素子ＳＷ１をオフし、スイッチング素子ＳＷ２をオンして、二次電池２からの供給電力によってランプＬａを点灯させる非常点灯状態で動作させる。
【００３０】
また、制御回路部５は、上記のように商用電源ＡＣの停電時、復電時にスイッチング素子ＳＷ１，ＳＷ２のオン・オフを切り替えて、通常点灯状態と非常点灯状態とを切り替えるだけでなく、商用電源ＡＣの電力供給を遮断して擬似的な停電状態を作り出して行う点検動作の制御も行う。以下、この点検動作について図２を用いて説明する。
【００３１】
まず、スイッチング素子ＳＷ１がオン、スイッチング素子ＳＷ２がオフして商用電源ＡＣからの供給電力によってランプＬａが点灯している通常点灯状態Ａでは、インバータ回路４に入力される直流電圧Ｖ０は、交流電源ＡＣの出力をＡＣ−ＤＣ変換部１で変換した電圧Ｖ１であり、表示パネルＰを介したランプＬａの光出力（以後、表示パネル光出力と称す）はＩ１となる。そして、受信部８が、自己点検を開始する命令である点検開始信号をリモコン端末１０から受けると（時間ｔ０）、このリモコン信号の処理を行うリモコン処理期間Ｔｒ０が開始される。リモコン処理期間Ｔｒ０において、制御回路部５は受信部８を介してリモコン信号を入力され、その命令内容を読み取る。自己点検開始命令の場合、制御回路部５は、スイッチング素子ＳＷ１をオフして、ＡＣ−ＤＣ変換部１からインバータ回路４への電力供給を停止させ（時間ｔ１）、時間ｔ１からインターバル時間ＴＭ１が経過した後にスイッチング素子ＳＷ２をオンして、二次電池２からの供給電力によってランプＬａを点灯させる擬似停電状態（自己点検モード）Ｂに移行する。この擬似停電状態Ｂでは、所定時間に亘って擬似的に停電状態として二次電池２の放電を行い、二次電池２の自己点検を行う。この自己点検が終了すると、制御回路５は表示部７に点検結果を表示するとともに、スイッチング素子ＳＷ１をオン、スイッチング素子ＳＷ２をオフして通常点灯状態Ａに移行させる。
【００３２】
上記インターバル時間ＴＭ１の間、ＡＣ−ＤＣ変換部１、二次電池２ともにインバータ回路部４への電力供給を遮断されているので、インバータ回路部４に入力される直流電圧Ｖ０はゼロとなって、ランプＬａのランプ電流すなわち光出力が低下し、消灯に至る。時間ｔ１からインターバル時間ＴＭ１が経過すると、スイッチング素子ＳＷ２がオンするので、二次電池２からインバータ回路部４へ電力供給されてランプＬａは再度点灯する。すなわち、リモコン端末１０から点検開始信号を受けてスイッチング素子ＳＷ１，ＳＷ２のオン・オフを切り替えるときにスイッチング素子ＳＷ１，ＳＷ２がともにオフとなるインターバル時間ＴＭ１を設けたので、表示パネル光出力が一瞬消灯してから擬似停電状態Ｂに移行する。したがって、点検者は、点検開始信号を受信して擬似停電状態Ｂに入ったことを表示パネル光出力で確実に認識することができる。このインターバル時間ＴＭ１は、人間の目で光変化を十分認識できる時間にしておく。
【００３３】
特に、高い天井に照明装置を設置する場合は、リモコン端末１０を用いることで点検作業が極めて楽になる反面、従来は表示部７で二次電池２への充電状態を表示することでしか点検開始信号を受信して擬似停電状態に移行したことを判断できなかった。しかも、表示部７での表示自体が小さいので、確認はさらに困難であった。しかし、本実施形態では、点検開始信号のアンサーバックを表示パネル光出力で行うので、点検者にとって非常にわかりやすいものとなる。
【００３４】
さらに、リモコン機能を有する住宅用の照明器具では、リモコン信号のアンサーバックとしてブザー音を発するものが一般的であるが、本実施形態ではブザーは不要であり、従来の照明装置であってもブザーを追加することなく既存の回路を活用できるので、コストアップを抑えることができる。
【００３５】
このように、本実施形態では、リモコン端末１０からの点検開始信号受信時のアンサーバック機能を容易に実現でき、且つ擬似停電状態に移行したことを点検者に確実に認識させることが可能となる。
【００３６】
なお、本実施形態において、リモコン端末１０は赤外線リモコンだけでなく、短波を用いた無線送信器や、スイッチを設けた有線による信号伝送（例えば、機械スイッチをオン・オフさせることで信号電圧を変化させ、その信号電圧に応じて変換した「０」，「１」の信号を点検開始信号とする）でも同様に、表示パネル光出力が人間の目に十分認識可能に変化すれば、擬似停電状態に移行したことを点検者に確実に認識させることができるという効果を奏し得ることは明らかである。
【００３７】
（実施形態２）
本実施形態の照明装置は、実施形態１と同様の構成を備えており、実施形態１との相違点は、擬似停電状態（自己点検モード）において、擬似停電状態を途中で解除して通常点灯状態に移行させる、すなわち自己点検を中断する機能を設けた点にある。以下、この点検中断動作について図３を用いて説明する。
【００３８】
まず、スイッチング素子ＳＷ１がオフ、スイッチング素子ＳＷ２がオンして二次電池２からの供給電力によってランプＬａが点灯している擬似停電状態Ｂでは、インバータ回路４に入力される直流電圧Ｖ０は、二次電池２の出力電圧Ｖ２であり、表示パネル光出力はＩ２となる。そして、受信部８が、自己点検を中断する命令である点検解除信号をリモコン端末１０から受けると（時間ｔ２）、このリモコン信号の処理を行うリモコン処理期間Ｔｒ２が開始される。リモコン処理期間Ｔｒ２において、制御回路部５は受信部８を介してリモコン信号を入力され、その命令内容を読み取る。自己点検解除命令の場合、制御回路部５は、スイッチング素子ＳＷ２をオフして、二次電池２からインバータ回路４への電力供給を停止させ（時間ｔ３）、時間ｔ３からインターバル時間ＴＭ１が経過した後にスイッチング素子ＳＷ１をオンして、商用電源ＡＣからの供給電力によってランプＬａを点灯させる通常点灯状態Ａに移行する。
【００３９】
上記インターバル時間ＴＭ１の間、ＡＣ−ＤＣ変換部１、二次電池２ともにインバータ回路部４への電力供給を遮断されているので、インバータ回路部４に入力される直流電圧Ｖ０はゼロとなって、ランプＬａのランプ電流すなわち光出力が低下し、消灯に至る。時間ｔ３からインターバル時間ＴＭ１が経過すると、スイッチング素子ＳＷ１がオンするので、ＡＣ−ＤＣインバータ部１からインバータ回路部４へ電力供給されてランプＬａは再度点灯する。すなわち、リモコン端末１０から点検解除信号を受けてスイッチング素子ＳＷ１，ＳＷ２のオン・オフを切り替えるときにスイッチング素子ＳＷ１，ＳＷ２がともにオフとなるインターバル時間ＴＭ１を設けたので、表示パネル光出力が一瞬消灯してから通常点灯状態Ａに移行する。したがって、点検者は、点検解除信号を受信して通常点灯状態Ａに移行したことを表示パネル光出力で確実に認識することができる。
【００４０】
また、制御回路部５が、点検解除信号を擬似停電状態Ｂ中のみ受け付け、通常点灯状態Ａ中は受け付けないようにすれば、不必要な動作処理を省くことができる。
【００４１】
（実施形態３）
図４は、実施形態１のより具体的な回路構成を示しており、商用電源ＡＣとＡＣ−ＤＣ変換部１との間にフィルタ部ＬＦを設け、ＡＣ−ＤＣ変換部１は、商用電源ＡＣの出力を整流する整流器ＤＢと、整流出力を平滑するコンデンサＣ１と、コンデンサＣ１の出力端間に接続したトランスＴ１の１次巻線ｎ１１とスイッチング素子Ｑ１との直列回路と、トランスＴ１の２次巻線ｎ１２の途中から引き出された出力端に接続したダイオードＤ１と、２次巻線ｎ１２の一端から引き出された出力端に接続したダイオードＤ２と、ダイオードＤ１の出力と２次巻線ｎ１２の他端との間に接続したコンデンサＣ２と、ダイオードＤ２の出力と２次巻線ｎ１２の他端との間に接続したコンデンサＣ３と、コンデンサＣ２の電圧をフィードバックしてスイッチング素子Ｑ１を制御する制御回路Ｋ１とからなる２出力のフライバック方式の回路を構成しており、コンデンサＣ２の電圧はスイッチング素子Ｑ４（実施形態１のスイッチング素子ＳＷ１に相当する）を介してインバータ回路部４に供給され、コンデンサＣ２の電圧より高いコンデンサＣ３の電圧は充電回路部３に供給される。
【００４２】
充電回路部３は、コンデンサＣ３の正極と二次電池２の正極との間に接続された抵抗Ｒ３とスイッチング素子Ｑ６とダイオードＤ４との直列回路と、スイッチング素子Ｑ６のベースとコンデンサＣ３の正極との間に接続されたツェナダイオードＺＤ１と、スイッチング素子Ｑ６のベースと二次電池２の負極との間に接続された抵抗Ｒ４とからなる定電流回路を構成しており、スイッチング素子Ｑ６を介して二次電池２に定電流充電を行う。
【００４３】
そして、二次電池２の出力はスイッチング素子Ｑ５（実施形態１のスイッチング素子ＳＷ２に相当する）を介してインバータ回路部４に供給される。
【００４４】
インバータ回路部４は、入力端間に接続したダイオードＤ３と、正側入力に直列接続したインダクタＬ１と、インダクタＬ１の出力端に一端を接続した抵抗Ｒ１，Ｒ２と、抵抗Ｒ１の他端にベースを接続したスイッチング素子Ｑ３と、抵抗Ｒ２の他端にベースを接続してエミッタをスイッチング素子Ｑ３のエミッタに接続したスイッチング素子Ｑ２と、スイッチング素子Ｑ２，Ｑ３の各コレクタ間に接続されたコンデンサＣ４と、コンデンサＣ４の両端間に接続されてインダクタＬ１の出力に中点を接続したトランスＴ２の１次巻線ｎ２１ａと、スイッチング素子Ｑ２，Ｑ３の各ベース間に接続されたトランスＴ２の検知巻線ｎ２１ｂと、トランスＴ２の２次巻線ｎ２２の一端に接続したコンデンサＣ５とからなる自励式のプッシュプル方式の回路を構成しており、ランプＬａはコンデンサＣ５を介して２次巻線ｎ２２の両端間に接続される。
【００４５】
そして、制御回路部５は、スイッチング素子Ｑ４，Ｑ５のオン・オフを制御しており、実施形態１と同様に、リモコン端末１０から点検開始信号を受けてスイッチング素子Ｑ４，Ｑ５のオン・オフを切り替えるときにスイッチング素子Ｑ４，Ｑ５がともにオフとなるインターバル時間ＴＭ１を設け、さらに実施形態２と同様に、リモコン端末１０から点検解除信号を受けてスイッチング素子Ｑ４，Ｑ５のオン・オフを切り替えるときにスイッチング素子Ｑ４，Ｑ５がともにオフとなるインターバル時間ＴＭ１を設けており、実施形態１，２と同様の効果を奏し得る。
【００４６】
また、本実施形態において、トランスＴ１は、コンデンサＣ２，Ｃ３の各出力巻線を同一の２次巻線ｎ１２で兼用しているが、図５のように、コンデンサＣ２に出力する２次巻線ｎ１２ａと、コンデンサＣ３に出力する２次巻線ｎ１２ｂとを別々に設けてもよい。
【００４７】
さらに、ＡＣ−ＤＣ変換部１としてフライバック方式の回路を用いているが、フォワード方式等の他の回路方式であってもよく、充電回路部３は定電流回路を用いているが準定電流回路等の他の回路方式であってもよい。インバータ回路部４においても自励式のプッシュプル方式の回路を用いているが、ハーフブリッジ方式等の他の回路方式であってもよい。
【００４８】
（実施形態４）
図６は本実施形態の照明装置のブロック図を示し、図７は通常点灯状態Ａから擬似停電状態Ｂに移行するときの動作を示し、図８は擬似停電状態Ｂから通常点灯状態Ａに移行するときの動作を示す。
【００４９】
実施形態１，２との相違点は、実施形態１，２のスイッチング素子ＳＷ１を省き、制御回路部５がＡＣ−ＤＣ変換部１の出力のオン・オフを制御することで、ＡＣ−ＤＣ変換部１からインバータ回路部４への電力供給のオン・オフを行うことである。
【００５０】
そして、制御回路部５は、リモコン端末１０から点検開始信号を受けてスイッチング素子ＳＷ２およびＡＣ−ＤＣ変換部１の出力のオン・オフを切り替えるときにスイッチング素子ＳＷ２およびＡＣ−ＤＣ変換部１の出力がともにオフとなるインターバル時間ＴＭ１を実施形態１と同様に設け、さらに、リモコン端末１０から点検解除信号を受けてスイッチング素子ＳＷ２およびＡＣ−ＤＣ変換部１の出力のオン・オフを切り替えるときにスイッチング素子ＳＷ２およびＡＣ−ＤＣ変換部１の出力がともにオフとなるインターバル時間ＴＭ１を実施形態２と同様に設けている。
【００５１】
したがって、実施形態１，２と同様に、リモコン端末１０からの点検開始信号、点検解除信号受信時のアンサーバック機能を容易に実現でき、且つ擬似停電状態、通常点灯状態に移行したことを点検者に確実に認識させることが可能となる。
【００５２】
（実施形態５）
図９は、実施形態４のより具体的な回路構成を示しており、実施形態３との相違点は、実施形態４のスイッチング素子Ｑ４を省き、ＡＣ−ＤＣ変換部１のスイッチング素子Ｑ１のゲート−ソース間にスイッチング素子Ｑ７を接続しており、制御回路部５がスイッチング素子Ｑ７をオンさせることでスイッチング素子Ｑ１が強制的にオフして、ＡＣ−ＤＣ変換部１の出力がオフとなることである。
【００５３】
本実施形態においても、実施形態４と同様の効果を奏し得る。
【００５４】
（実施形態６）
図１０は、本実施形態の照明装置の具体的な回路構成を示しており、実施形態３との相違点は、インバータ回路部４の入力端間にコンデンサＣ６を設けたことである。
【００５５】
本実施形態においては、実施形態３と同様の動作を行うが、インターバル時間ＴＭ１においてインバータ回路４に入力される直流電圧Ｖ０の低下はコンデンサＣ６によって設定される時定数を有することになる。すなわち、図１１に示すように、インターバル時間ＴＭ１の長さによっては電圧Ｖ０が完全にゼロにまで低下しきらず、表示パネル光出力も完全に消灯しない。ここで、表示パネル光出力の変化をΔＩとしたとき、一般的に、このΔＩで決まる、表示パネル光出力の変化が人間の目にチラツキと感じられる臨界周波数（臨界フリッカ周波数）が存在する。これは、ΔＩが大きいほど表示パネル光出力の周波数が高くても人間の目にはチラツキと感じられ、ΔＩが小さくても表示パネル光出力の周波数が低ければ人間の目にはチラツキと感じられるものである。したがって、インターバル時間ＴＭ１を、少なくともΔＩで決まる臨界フリッカ周波数の周期よりも長くすることで、擬似停電状態、通常点灯状態に移行したことを点検者に確実に認識させることができる。表示パネル光出力変化を確実に行うには、インターバル時間ＴＭ１を５０ｍｓ以上とすることが実用的には望ましい。
【００５６】
また、直流電圧Ｖ０が完全にゼロにまで低下する前にスイッチング素子Ｑ４，Ｑ５の切り替えが可能なので、スイッチング素子Ｑ４，Ｑ５のストレス低減が可能であり、信頼性が向上する。
【００５７】
（実施形態７）
図１２は、本実施形態の照明装置の具体的な回路構成を示しており、実施形態３との相違点は、コンデンサＣ３の正極とインバータ回路４の正側入力との間にスイッチング素子Ｑ８を設けたことであり、スイッチング素子Ｑ８は制御回路５によってオン・オフされる。そして、２次巻線ｎ１２の一端に接続されたコンデンサＣ３の電圧（充電電圧）は、２次巻線ｎ１２の途中に接続されたコンデンサＣ２の電圧より高く、スイッチング素子Ｑ４，Ｑ５がオフ、スイッチング素子Ｑ８がオンすると電圧Ｖ０は上昇する。そこで、実施形態６では、インターバル時間ＴＭ１において、インバータ回路４に入力される直流電圧Ｖ０を低下方向、すなわち表示パネル光出力を暗方向に変化させたが、本実施形態では、インターバル時間ＴＭ１において表示パネル光出力を明方向に変化させる。
【００５８】
図１３は通常点灯状態Ａから擬似停電状態Ｂに移行するときの動作を示し、実施形態１と同様に、リモコン端末１０から点検開始信号を受けてスイッチング素子Ｑ４，Ｑ５のオン・オフを切り替えるときにスイッチング素子Ｑ４，Ｑ５がともにオフとなるインターバル時間ＴＭ１を設け、さらにこのインターバル時間ＴＭ１ではスイッチング素子Ｑ８をオンさせることで、電圧Ｖ０が上昇し、表示パネル光出力も明るくなる。
【００５９】
そして、本実施形態においても実施形態６と同様に、インターバル時間ＴＭ１を、少なくともΔＩで決まる臨界フリッカ周波数の周期よりも長くすることで、擬似停電状態、通常点灯状態に移行したことを点検者に確実に認識させることが可能となる。
【００６０】
（実施形態８）
本実施形態の照明装置は、実施形態１，２と同様の構成を備え、図１４に示すように、二次電池２の点検が可能な条件を満足していない場合にリモコン端末１０から点検開始信号を受けて擬似停電状態（自己点検モード）Ｂに移行しても、擬似停電状態Ｂに移行してから時間ＴＭ２経過後に自動的に通常点灯状態Ａに復帰する。
【００６１】
二次電池２が所定時間（例えば２４時間）の連続充電が完了しておらず、規定の充電量に達していない状態での点検は、異常の判定が得られたとしても正しいとは限らない。このため、所定時間の連続充電が完了してから点検を行うべきである。また、前回の点検時に異常と判定されたまま二次電池２が交換されていない状態で、二次電池２の点検を行っても再び異常と判定されるだけであり、時間を無駄に費やすだけである。
【００６２】
ここで、例えば機械スイッチをオン・オフさせることで信号電圧を変化させ、その信号電圧に応じて変換した「０」，「１」の信号を点検開始信号とする構成であれば、機械スイッチがオフ→オンのときに点検を開始し、点検不可状態であれば機械スイッチをオフ→オンすることで点検を中断することが可能である。しかし、リモコン端末１０によって点検開始信号を送信した場合、点検解除信号を別途送信しなければ、点検が完了して異常と判定されるまで、擬似停電状態Ｂを維持する。
【００６３】
そこで、本実施形態では、制御回路部５は少なくとも二次電池２の状態に基づいて二次電池２の点検が可能か否かを判定する手段を備えており、二次電池２の点検が可能な条件を満足していない状態で、リモコン端末１０から点検開始信号が入力された場合、制御回路５内部で「点検不可」と判断し、通常点灯状態Ａに自動的に復帰させることで、二次電池２の不要な放電を中断することができ、二次電池２の寿命劣化を防いでいる。
【００６４】
さらに、擬似停電状態Ｂから通常点灯状態Ａに復帰する際に、制御回路部５は、スイッチング素子ＳＷ２をオフして、二次電池２からインバータ回路４への電力供給を停止させ（時間ｔ４）、時間ｔ４からインターバル時間ＴＭ３が経過した後にスイッチング素子ＳＷ１をオンして、商用電源ＡＣからの供給電力によってランプＬａを点灯させる通常点灯状態Ａに移行する。このインターバル時間ＴＭ３は、インターバル時間ＴＭ１と同様に人間の目に確実に表示パネル光出力の変化を認識させることができる長さに設定されており、（但し、ＴＭ１＝ＴＭ３である必要は必ずしもない）、通常モードＡに復帰したことを点検者は確実に認識できる。
【００６５】
また、通常点灯状態Ａに自動復帰するまでの時間ＴＭ２は、もともとの所定の点検時間よりも短ければ無駄な時間を費やすことがないが、点検者に「点検不可」であることを早く伝えるためには１０秒以内に設定することが望ましい。さらに言うなれば、点検者がリモコン端末１０から点検開始信号を送信し、表示パネル光出力の変化によって擬似停電状態Ｂに移行したことを確認した後、点検者が表示パネルＰから目を離す間もない時間（例えば２秒以内）に時間ＴＭ２を設定するほうが望ましい。
【００６６】
（実施形態９）
本実施形態の照明装置は、実施形態１，２と同様の構成を備え、図１５に示すように、二次電池２の点検が可能な条件を満足していない場合にリモコン端末１０から点検開始信号を受けて擬似停電状態（自己点検モード）Ｂに移行しても、擬似停電状態Ｂに移行してから時間ＴＭ２経過後に自動的に通常点灯状態Ａに復帰する。
【００６７】
リモコン端末１０から点検開始信号を受けて通常点灯状態Ａから擬似停電状態Ｂに移行するときの動作は実施形態８と同様であるが、二次電池２の点検が可能な条件を満足していない場合に、擬似停電状態Ｂに移行してから時間ＴＭ２経過後に自動的に通常点灯状態Ａに復帰する動作が実施形態８と異なる。
【００６８】
本実施形態では、インターバル時間ＴＭ３において、スイッチング素子ＳＷ１をオフ→オン→オフさせてから通常点灯モードＡに復帰するもので、インターバル時間ＴＭ１に亘って消灯している擬似停電状態Ｂ移行時の動作とは異なり、点検者は、擬似停電状態Ｂへの移行と通常点灯モードＡへの復帰とを明確に区別することができる。
【００６９】
なお、上記インターバル時間ＴＭ３における動作とインターバル時間ＴＭ１における動作とを入れ換えてもよく、またインターバル時間ＴＭ１，ＴＭ３におけるスイッチング素子のオン・オフ回数も上記回数に限定されるものではない。また、本動作は上記全ての実施形態に適用可能である。
【００７０】
（実施形態１０）
本実施形態の照明装置は、実施形態８と同様に、二次電池２の点検が可能な条件を満足していない場合にリモコン端末１０から点検開始信号を受けて擬似停電状態（自己点検モード）Ｂに移行しても、擬似停電状態Ｂに移行してから時間ＴＭ２経過後に自動的に通常点灯状態Ａに復帰するものである。
【００７１】
しかし、図１６に示すように、制御回路部５がリモコン端末１０から点検開始信号を受けてスイッチング素子ＳＷ１をオフし、インターバル時間ＴＭ１経過後において「点検不可」と判定した場合、再度スイッチング素子ＳＷ１をオンして、ＡＣ−ＤＣ変換部１からインバータ回路４に電力を供給する（この状態をＣと称す）。そして、状態Ｃに移行してから時間ＴＭ２が経過すると、スイッチング素子ＳＷ１をオフし（時間ｔ４）、時間ｔ４からインターバル時間ＴＭ３が経過した後にスイッチング素子ＳＷ１を再びオンして、商用電源ＡＣからの供給電力によってランプＬａを点灯させる通常点灯状態Ａに移行する。
【００７２】
このような動作を行うことで実施形態８と同様の効果を奏し得るだけでなく、二次電池の充電が完了していない状態で点検開始信号を受けた場合に、点検不可であることを点検者に伝えることができるとともに、二次電池２からの放電動作がないため、所定時間（例えば２４時間）の充電時間を計時するタイマカウンタをクリアすることなく、二次電池２の充電を継続する事ができる。したがって、充電時間の未達で「点検不可」となった場合、計時中の充電時間がクリアされることなく充電動作を継続でき、充電開始から完了までの所定の充電時間をさらに待つ必要がなく、点検可能になるまでの時間を短くでき、点検作業の効率が向上する。
【００７３】
（実施形態１１）
本実施形態の照明装置は、図１７に示すように、実施形態１，２の構成に停電／復電検出回路部９を設けたもので、停電／復電検出回路部９は、商用電源ＡＣの停電、復電の検出結果を制御回路部５へ出力する。制御回路部５は、図１８に示すように、停電／復電検出回路部９からの検出結果に応じて、停電時、制御回路部５は、スイッチング素子ＳＷ１をオフして、ＡＣ−ＤＣ変換部１からインバータ回路４への電力供給を停止させ（時間ｔ１１）、時間ｔ１１からインターバル時間ＴＭ１が経過した後にスイッチング素子ＳＷ２をオンして、二次電池２からの供給電力によってランプＬａを点灯させる非常点灯状態Ｄに移行する。そして、商用電源ＡＣが復電すると、制御回路部５は、スイッチング素子ＳＷ２をオフして、二次電池２からインバータ回路４への電力供給を停止させ（時間ｔ１２）、時間ｔ１２からインターバル時間ＴＭ３が経過した後にスイッチング素子ＳＷ１をオンして、商用電源ＡＣからの供給電力によってランプＬａを点灯させる通常点灯状態Ａに移行する。また、停電／復電に要する時間が技術基準（ＪＩＬ５５０２）により規定されており、停電時のインターバル時間ＴＭ１は、０．５秒未満に設定されなければならない。
【００７４】
このように、商用電源ＡＣの停電／復電が認識しやすくなるとともに、スイッチング素子ＳＷ１，ＳＷ２による電力供給の切替制御を、擬似停電状態、非常点灯状態に関わらず常に同じ処理で行なうことができる。したがって、制御回路部５にマイクロコンピュータを用いる場合、点検開始時，点検解除時の処理と停電時，復電時の処理とを、例えばプログラムの条件文によって分ける等の特別な処理を施す必要がないので、プログラムの簡略化が可能であり、メモリ容量の削減も可能となる。
【００７５】
（実施形態１２）
本実施形態の照明装置は、図１９に示すように、実施形態１，２の構成において、表示部７を発光素子ＬＥＤ１，発光素子ＬＥＤ２で構成したものである。従来、発光素子ＬＥＤ１は二次電池２の状態を表示し、発光素子ＬＥＤ２はランプＬａの状態を表示するものであった。発光素子ＬＥＤ１，ＬＥＤ２は色違いであり、発光素子ＬＥＤ１は緑色、発光素子ＬＥＤ２は赤色を用いることが多い。表示の例として、発光素子ＬＥＤ１は、二次電池２が正常に充電されているときは点灯、二次電池２が外れているときは消灯、二次電池２が点検によって異常と判定された場合は一定周期で点滅の表示を行なう。発光素子ＬＥＤ２は、ランプＬａが正常に点灯しているときは消灯、ランプ外れやランプ不点等の異常状態のときは点灯、ランプＬａの点灯時間カウントや光束減退によってランプ寿命と判定された場合は一定周期で点滅の表示を行なう。
【００７６】
本実施形態では、リモコン端末１０が点検可否確認信号を送信し、制御回路部５が受信部８を介して点検可否確認信号を受けると、制御回路部５は少なくとも二次電池２の状態に基づいて二次電池２の点検が可能か否かを判定し、その判定結果に応じて発光素子ＬＥＤ１，ＬＥＤ２の表示を変えることにより、点検者に「点検可能」か不可能かを知らせる。また、リモコン端末１０からの命令に対するアンサーバックにもなる。したがって、点検者は、予め点検可能であるか否かを確認してから点検を開始することができ、点検作業の利便性がより高まる。
【００７７】
図２０（ａ）は「点検可能」時における発光素子ＬＥＤ１，ＬＥＤ２の表示例を示し、図２０（ｂ）は「点検不可」時における発光素子ＬＥＤ１，ＬＥＤ２の表示例を示し、図２１はパターン表を示す。この例では、受信部８が、点検可否確認信号をリモコン端末１０から受けると（時間ｔ２０）、このリモコン信号の処理を行うリモコン処理期間Ｔｒ２０が開始される。リモコン処理期間Ｔｒ２０において、制御回路部５は受信部８を介してリモコン信号を入力され、その命令内容を読み取る。点検可否確認命令の場合、制御回路部５は二次電池２の点検が可能か否かを判定し、「点検可能」であると判定した場合（時間ｔ２１）、発光素子ＬＥＤ１を一定時間ＴＬ１内で点滅させ、「点検不可」であると判定した場合は、発光素子ＬＥＤ２を一定時間ＴＬ１内で点滅させる。この点滅周期は、上記二次電池２の状態表示、ランプＬａの状態表示とは異なる周期に設定して区別可能にすることが望ましい。また、この点検可否表示で点滅させないほうの発光素子は、上記二次電池２の状態表示、ランプＬａの状態表示を維持したまま変化させないようにしている。
【００７８】
さらに、図２２に示すように、「点検可能」あるいは「点検不可」時に、発光素子ＬＥＤ１またはＬＥＤ２の点滅に合わせてスイッチング素子ＳＷ１をオン・オフさせることで表示パネル光出力を点滅させれば、点検者は、よりわかりやすくなる。ここでは、二次電池２の放電動作を行わないように、スイッチング素子ＳＷ１のみオン・オフさせる。
【００７９】
（実施形態１３）
実施形態１２では、発光素子ＬＥＤ１，ＬＥＤ２の表示と表示パネルＰの表示パネル光出力とを同期させて点検可否表示を行なったが、表示パネル光出力のみで点検可否表示を行ってもよい。但し、この場合、点検可否の判定結果を表示する時間ＴＬ１の間での点滅回数を、「点検可能」と「点検不可」とで互いに異なる回数に設定したり（例えば、「点検可能」時は３回、「点検不可」時は４回）、あるいは時間ＴＬ１を「点検可能」と「点検不可」とで互いに異なる長さに設定しておく。さらに、時間ＴＬ１に亘って消灯状態を維持すると、上記実施形態の擬似停電状態Ａに移行するときの動作と混同する恐れがあるので、擬似停電状態Ａ移行時の動作とも異なる点滅回数、時間に設定しておく。
【００８０】
このように、本実施形態では、点検可否確認信号に対して、表示パネルＰの表示パネル光出力を用いて、点検可否の判定結果を表示することにより、点検者に判定結果を確実に伝えることができるとともに、リモコン端末１０からの命令に対するアンサーバックにもなる。したがって、点検者は、予め点検可能であるか否かを確認してから点検を開始することができ、点検作業の利便性がより高まる。
【００８１】
（実施形態１４）
図２３〜図２５は、実施形態１乃至１３いずれかの照明装置を用いた照明器具の構成を示す。
【００８２】
図２３は、側面を開口した函型の器具本体２０内に、二次電池２と、ランプＬａと、点灯ユニット２１とを収納し、器具本体２０の開口に表示パネルＰを覆設して、表示パネルＰの背面にランプＬａを配置した内照式の照明器具を示す。
【００８３】
図２４，図２５は、くさび型のアクリル板に微細加工を施し、上方向からランプの光を入射して前面の表示パネルを光らせる導光式の照明器具を示す。図２４の照明器具は、下面を開口した函型の器具本体３０内に、ランプＬａと、点灯ユニット３１と、ランプホルダー３２とを収納し、表示パネルＰ装着用の長孔３６ａを穿設した基板３６を器具本体３０の開口に覆設して、表示パネルＰを長孔３６ａに差し込んで取り付けられる。表示パネルＰは、透明な導光板３３と反射シート３４とパネル３５とからなり、図示しない二次電池は器具本体３０内あるいは器具本体３０外に設置される。
【００８４】
図２５の照明器具は、側面を開口した函型の器具本体４０内に、二次電池２と、点灯ユニット４１と、図示しないランプを取り付けたランプホルダー４２とを収納し、表示パネルＰを有する表示ユニット４３をランプホルダー４２に組み付け、器具本体４０の開口を表示ユニット４３が覆うように構成される。
【００８５】
ここで、点灯ユニット２１，３１，４１は、ＡＣ−ＤＣ変換部１、充電回路部３、インバータ回路４、制御回路部５、電池電圧判定部６、表示部７、受信部８、スイッチング素子ＳＷ１，ＳＷ２等で構成されている。
【図面の簡単な説明】
【００８６】
【図１】本発明の実施形態１の照明装置を示すブロック図である。
【図２】同上の自己点検開始時の動作を示す図である。
【図３】本発明の実施形態２の自己点検中断時の動作を示す図である。
【図４】本発明の実施形態３の照明装置を示す回路構成図である。
【図５】同上のＡＣ−ＤＣ変換部の別の構成を示す図である。
【図６】本発明の実施形態４の照明装置を示すブロック図である。
【図７】同上の自己点検開始時の動作を示す図である。
【図８】同上の自己点検中断時の動作を示す図である。
【図９】本発明の実施形態５の照明装置を示す回路構成図である。
【図１０】本発明の実施形態６の照明装置を示す回路構成図である。
【図１１】同上の自己点検開始時の動作を示す図である。
【図１２】本発明の実施形態７の照明装置を示す回路構成図である。
【図１３】同上の自己点検開始時の動作を示す図である。
【図１４】本発明の実施形態８の自己点検開始時、中断時の動作を示す図である。
【図１５】本発明の実施形態９の自己点検開始時、中断時の動作を示す図である。
【図１６】本発明の実施形態１０の自己点検開始時、中断時の動作を示す図である。
【図１７】本発明の実施形態１１の照明装置を示すブロック図である。
【図１８】同上の停電、復電検出時の動作を示す図である。
【図１９】本発明の実施形態１２の照明装置を示すブロック図である。
【図２０】（ａ）（ｂ）同上の点検可否判定時の表示部の動作を示す図である。
【図２１】（ａ）（ｂ）同上の点検可否判定時の表示部の点灯パターンを示す図である。
【図２２】同上の点検可否判定時の表示パネル光出力を示す図である。
【図２３】本発明の実施形態１４の照明器具の外観を示す図である。
【図２４】本発明の実施形態１４の照明器具の外観を示す図である。
【図２５】本発明の実施形態１４の照明器具の外観を示す図である。
【符号の説明】
【００８７】
１  ＡＣ−ＤＣ変換部
２  二次電池
３  充電回路部
４  インバータ回路
５  制御回路部
６  電池電圧判定部
７  表示部
８  受信部
１０  リモコン端末
Ｌａ  ランプ
Ｐ  表示パネル
ＳＷ１，ＳＷ２  スイッチング素子
ＡＣ  商用電源
【図１】
0004765486.tif 000002
【図２】
0004765486.tif 000003
【図３】
0004765486.tif 000004
【図４】
0004765486.tif 000005
【図５】
0004765486.tif 000006
【図６】
0004765486.tif 000007
【図７】
0004765486.tif 000008
【図８】
0004765486.tif 000009
【図９】
0004765486.tif 000010
【図１０】
0004765486.tif 000011
【図１１】
0004765486.tif 000012
【図１２】
0004765486.tif 000013
【図１３】
0004765486.tif 000014
【図１４】
0004765486.tif 000015
【図１５】
0004765486.tif 000016
【図１６】
0004765486.tif 000017
【図１７】
0004765486.tif 000018
【図１８】
0004765486.tif 000019
【図１９】
0004765486.tif 000020
【図２０】
0004765486.tif 000021
【図２１】
0004765486.tif 000022
【図２２】
0004765486.tif 000023
【図２３】
0004765486.tif 000024
【図２４】
0004765486.tif 000025
【図２５】
0004765486.tif 000026